(57)【要約】      （修正有）【課題】アクセスを制限し、或いはアクセス制限を解除する装置を容易に特定することができるコンテンツ提供装置を提供する。【解決手段】コンテンツ提供装置であって、アクセス要求を受信するアクセス要求受信部と、アクセス要求を送信した他の装置の識別情報と、アクセス制限情報と、アクセス履歴情報とを対応付けて記憶する機器管理情報記憶部と、機器管理情報記憶部に記憶されている内容を参照して、ネットワークに接続されている他の装置によるコンテンツ提供装置へのアクセス制限状態の設定を変更するための設定画面を表示部に表示するアクセス制限設定部とを備え、設定画面は、ネットワークに接続されている他の装置によるコンテンツ提供装置へのアクセス制限状態の設定を変更するためのアクセス制限設定項目と、識別情報を表示する項目と、アクセス履歴情報を表示する項目とを有する。【選択図】図１
2012249240.tif 000002
【特許請求の範囲】
【請求項１】
ネットワークを介してコンテンツを提供するコンテンツ提供装置であって、
前記コンテンツ提供装置に対するアクセス要求を受信するアクセス要求受信部と、
少なくとも、前記アクセス要求受信部に対してアクセス要求を送信した他の装置の識別情報と、当該他の装置に対するアクセス制限状態を示すアクセス制限情報と、当該他の装置のアクセス履歴情報とを対応付けて記憶する機器管理情報記憶部と、
前記機器管理情報記憶部に記憶されている内容を参照して、前記ネットワークに接続されている他の装置による前記コンテンツ提供装置へのアクセス制限状態の設定を変更するための設定画面を表示部に表示するアクセス制限設定部と、
を備え、
前記設定画面は、前記ネットワークに接続されている他の装置による前記コンテンツ提供装置へのアクセス制限状態の設定を変更するためのアクセス制限設定項目と、当該他の装置の識別情報を表示する項目と、当該他の装置のアクセス履歴情報を表示する項目とを有することを特徴とするコンテンツ提供装置。
【請求項２】
前記設定画面に表示される他の装置の識別情報は、ＭＡＣアドレスであることを特徴とする請求項１に記載のコンテンツ提供装置。
【請求項３】
前記設定画面に表示される他の装置のアクセス履歴情報は、当該他の装置が前記コンテンツ提供装置にアクセス要求を送信した日時であることを特徴とする請求項１又は請求項２に記載のコンテンツ提供装置。
【請求項４】
前記設定画面に表示される他の装置のアクセス履歴情報は、当該他の装置が前記コンテンツ提供装置にアクセス要求を送信した回数であることを特徴とする請求項１又は請求項２に記載のコンテンツ提供装置。
【請求項５】
前記設定画面は、さらに、他の装置に任意の名称を設定及び表示するための名称設定表示項目を有し、
前記機器管理情報記憶部は前記アクセス要求受信部に対してアクセス要求を送信した他の装置の識別情報と、当該他の装置に対するアクセス制限状態を示すアクセス制限情報と、当該他の装置のアクセス履歴情報と、前記名称設定表示項目を介して設定された当該他の装置の任意の名称を示す情報とを対応付けて記憶することを特徴とする請求項１〜請求項４のいずれか１項に記載のコンテンツ提供装置。
【請求項６】
前記コンテンツ提供装置はさらに管理権限を有するか否かの認証を行う認証部を備え、
前記認証部による認証が成立しなければアクセス制限状態の設定を変更できないことを特徴とする請求項１〜請求項５のいずれか１項に記載のコンテンツ提供装置。
【発明の詳細な説明】
【技術分野】
【０００１】
本発明は、ネットワークを介して接続されている他の装置からの要求に応じてコンテンツを提供するコンテンツ提供装置に関する。
【背景技術】
【０００２】
近年、動画、音声、静止画等のマルチメディアデータ（コンテンツ）を提供するコンテンツ提供装置が普及している。このようなコンテンツ提供装置の利用方法としては、例えば家庭内でこれらコンテンツ提供装置と、コンテンツ再生装置とをネットワークを介して通信可能に接続することによって、コンテンツ提供装置から周辺機器に対してコンテンツの提供を行うことができる。
【０００３】
このような家庭内におけるネットワークにおいて、コンテンツを多種多様な装置間でシームレスに共有することを目的として規格化が進められている。そのような規格化（ガイドライン）の一例としてＤＬＮＡ（Ｄｉｇｉｔａｌ Ｌｉｖｉｎｇ Ｎｅｔｗｏｒｋ Ａｌｌｉａｎｃｅ；登録商標）ガイドラインが提案されている。
【０００４】
ＤＬＮＡガイドラインでは、ネットワーク上に存在する装置の接続（発見・制御方法）やコンテンツの共有（検索・管理方法）を、複雑な操作なしに自動的に行うＵＰｎＰ（Ｕｎｉｖｅｒｓａｌ Ｐｌｕｇ ａｎｄ Ｐｌａｙ）機能を中核に、映像や音声フォーマットの種類、装置間でやりとりする情報やルールがガイドラインとして策定されている。
【０００５】
例えば、ＤＬＮＡ対応装置は、ＵＰｎＰに基づいて所定のパケットをローカルエリアネットワーク内に送信し、当該パケットに対する応答を取得することによって同一のローカルエリア内に接続されている他のＤＬＮＡ対応装置を検出することができる。
【０００６】
ＤＬＮＡガイドラインにおいては、コンテンツを保持し、コンテンツデータを提供するデジタルメディアサーバー（ＤＭＳ）や、コンテンツを検索・再生可能なデジタルメディアプレイヤー（ＤＭＰ）が定義されており、これらＤＬＮＡ対応装置はＵＰｎＰ機能を利用してコンテンツを提供したり、コンテンツを取得して再生したりする。すなわち、ＤＬＮＡガイドラインにおいてはコンテンツ提供装置としてＤＭＳが定義されており、コンテンツ再生装置としてＤＭＰが定義されている。
【０００７】
ところで、ＤＭＳには一般的に、同一のローカルエリアネットワークに接続されているＤＭＰによるＤＭＳへのアクセスを制限する機能（アクセスを許可又は拒否する機能）が備えられている。また、アクセスの制限設定は、同一のローカルネットワークに複数台のＤＭＰが接続されている場合において、ＤＭＰ毎に行うことができる。これにより、同一のローカルエリアネットワークに複数台のＤＭＰが接続されている場合に例えば特定のＤＭＰのみについて、アクセスを許可することが可能となる。
【０００８】
なお、ローカルエリアネットワークに新たに接続されたＤＭＰ（新規購入など過去に当該ローカルエリアネットワークに接続したことがないＤＭＰ）については初期状態において当該新たなＤＭＰからＤＭＳへのアクセスは制限（拒否）されており、ＤＭＳ側でアクセス制限を解除（アクセスを許可）しなければ当該新たなＤＭＰはＤＭＳのコンテンツを取得すること（ＤＭＳからコンテンツの提供を受けること）ができない。
【０００９】
従来においてＤＭＳ側で特定のＤＭＰについてアクセスを制限し、或いはアクセス制限を解除する場合は、ＭＡＣアドレスを利用していた。すなわち、ＤＭＰ、ＤＭＳはそれぞれ装置の識別情報として、固有の識別子であるＭＡＣアドレスが付与されており、特にＤＭＰは識別情報としてＭＡＣアドレス以外の識別子を有していないため、ＤＭＳにおいてアクセス制限状態の設定を行う際には、設定画面において表示されているＭＡＣアドレスの中から、アクセスを制限し、或いはアクセス制限を解除したいＤＭＰのＭＡＣアドレスを探し、個別に設定を行っていた。
【００１０】
特許文献１に記載されているアクセス制御を行う中継方法は、ネットワークに接続された装置の間で通信を行う環境において、コントロール装置（ＤＭＰ）からサーバ装置（ＤＭＳ）へのアクセスが許可されている場合に、ＤＭＰからの要求に対し、利用者が設定したルールに基づき、ＤＭＳからの応答を書き換える処理を実行することとしている。これにより、ネットワークに接続されたＤＭＰ、ＤＭＳの間で通信を行う環境において、部分的なアクセス制御が可能になることが開示されている。
【００１１】
特許文献２に記載されているＤＬＮＡ対応装置は、ネットワークに接続されている他のＤＬＮＡ対応装置がＨＤＭＩの伝送路で直接接続されているものであるときに、当該他のＤＬＮＡ対応装置とのＤＬＮＡの接続設定を自動的に行うこととしている。これにより、ＤＬＮＡ対応装置によるネットワークの使い勝手が向上することが開示されている。
【００１２】
特許文献３に記載されている情報処理システムのユーザ状態及び／又はデバイス状態の管理方法は、ユーザによるアクセス履歴を収集する工程と、収集したアクセス履歴に判定ルールを適用する工程と、判定ルールの適用に基づいて収集したアクセス履歴からユーザのユーザ状態及び／又はデバイスのデバイス状態を判定する工程と、を具備することとしている。これにより、専用の管理ツールや管理プログラムを必要とすることなく、簡易にユーザの状態、デバイスの状態を管理できることが開示されている。
【先行技術文献】
【特許文献】
【００１３】
【特許文献１】特開２００９−１８８７２６号公報
【特許文献２】特開２００９−８８９４８号公報
【特許文献３】特開２００６−１０７４５６号公報
【発明の概要】
【発明が解決しようとする課題】
【００１４】
しかし、ローカルネットワークエリア内に多くの装置が接続されている場合には、ＭＡＣアドレスの一覧の中からアクセスを制限し、或いはアクセス制限を解除したいＤＭＰのＭＡＣアドレスを探すことが困難であった。また、ＭＡＣアドレスは１２桁と桁数が多く、記憶しておくのが困難であるため、ＤＭＰ側で自装置のＭＡＣアドレスを表示させてメモを取り、ＤＭＳ側の画面において同一のＭＡＣアドレスを探すといった手間が必要であり、ＤＭＳ側の画面のみを参照して設定を行うことが困難であった。
【００１５】
本発明は上述した問題点に鑑み、アクセスを制限し、或いはアクセス制限を解除する（アクセスを許可し、或いはアクセスを拒否する）装置を容易に特定することができるコンテンツ提供装置を提供することを目的とする。
【課題を解決するための手段】
【００１６】
上記目的を達成するために本発明のコンテンツ提供装置は、ネットワークを介してコンテンツを提供するコンテンツ提供装置であって、前記コンテンツ提供装置に対するアクセス要求を受信するアクセス要求受信部と、少なくとも、前記アクセス要求受信部に対してアクセス要求を送信した他の装置の識別情報と、当該他の装置に対するアクセス制限状態を示すアクセス制限情報と、当該他の装置のアクセス履歴情報とを対応付けて記憶する機器管理情報記憶部と、前記機器管理情報記憶部に記憶されている内容を参照して、前記ネットワークに接続されている他の装置による前記コンテンツ提供装置へのアクセス制限状態の設定を変更するための設定画面を表示部に表示するアクセス制限設定部と、を備え、前記設定画面は、前記ネットワークに接続されている他の装置による前記コンテンツ提供装置へのアクセス制限状態の設定を変更するためのアクセス制限設定項目と、当該他の装置の識別情報を表示する項目と、当該他の装置のアクセス履歴情報を表示する項目とを有することを特徴としている。
【００１７】
この構成によれば、ネットワークに接続されている他の装置によるコンテンツ提供装置へのアクセスを許可或いは拒否するための設定画面が、アクセス履歴情報を表示する項目を有しているので、アクセス履歴情報を参照してアクセスを制限し、或いはアクセス制限を解除する装置を容易に特定することができる。
【００１８】
また上記構成のコンテンツ提供装置において、前記設定画面に表示される他の装置の識別情報は、ＭＡＣアドレスであることが望ましい。
【００１９】
この構成によれば、ＭＡＣアドレスとアクセス履歴情報を参照して、アクセス履歴情報を参照してアクセスを制限し、或いはアクセス制限を解除する装置を容易に特定することができる。
【００２０】
また上記構成のコンテンツ提供装置において、前記設定画面に表示される他の装置のアクセス履歴情報は、当該他の装置が前記コンテンツ提供装置にアクセス要求を送信した日時であることが望ましい。
【００２１】
この構成によれば、アクセス日時に基づいてアクセスを許可又は拒否したい装置を特定することができる。例えば、アクセスを許可したい装置にアクセス要求を行わせることで、アクセス要求が行われた日時が最新であるコンテンツ再生装置がアクセスを許可したいコンテンツ再生装置であると特定することができる。
【００２２】
また上記構成のコンテンツ提供装置において、前記設定画面に表示される他の装置のアクセス履歴情報は、当該他の装置が前記コンテンツ提供装置にアクセス要求を送信した回数であることが望ましい。
【００２３】
この構成によれば、アクセス要求回数に基づいてアクセスを許可又は拒否したい装置を特定することができる。例えば、ネットワークに新たに接続された装置はアクセス要求回数が少ないため、アクセス要求回数が少ない装置が、アクセスを許可したい装置であると特定することができる。
【００２４】
また上記構成のコンテンツ提供装置において、前記設定画面は、さらに、他の装置に任意の名称を設定及び表示するための名称設定表示項目を有し、前記機器管理情報記憶部は前記アクセス要求受信部に対してアクセス要求を送信した他の装置の識別情報と、当該他の装置に対するアクセス制限状態を示すアクセス制限情報と、当該他の装置のアクセス履歴情報と、前記名称設定表示項目を介して設定された当該他の装置の任意の名称を示す情報とを対応付けて記憶することが望ましい。
【００２５】
この構成によれば、ネットワークに接続されている装置に任意の名称を設定することができるため、ＭＡＣアドレスとアクセス履歴情報と設定した名称を参照して、アクセスを制限し、或いはアクセス制限を解除する装置を容易に特定することができる。
【００２６】
また上記構成のコンテンツ提供装置において、前記コンテンツ提供装置はさらに管理権限を有するか否かの認証を行う認証部を備え、前記認証部による認証が成立しなければアクセス制限状態の設定を変更できないことが望ましい。
【００２７】
この構成によれば、認証部による認証が成立しなければアクセス許可或いは拒否の設定を変更できないのでセキュリティを確保することができる。
【発明の効果】
【００２８】
本発明によれば、ネットワークに接続されている装置によるコンテンツ提供装置へのアクセスを許可或いは拒否するための設定画面が、アクセス履歴情報を表示する項目を有しているので、アクセス履歴情報を参照してアクセスを制限し、或いはアクセス制限を解除する装置を容易に特定することができる。
【図面の簡単な説明】
【００２９】
【図１】は、本発明のコンテンツ提供装置の構成を示すブロック図である。
【図２】は、本発明のコンテンツ提供装置が実行する処理の流れを示す第１のフローチャートである。
【図３】は、本発明のコンテンツ提供装置が実行する処理の流れを示す第２のフローチャートである。
【図４】は、本発明のコンテンツ提供装置が実行する処理の流れを示す第３のフローチャートである。
【図５】は、表示部に表示される設定画面の第１の例を示す図である。
【図６】は、表示部に表示される設定画面の第１の例の別の例を示す図である。
【図７】は、表示部に表示される設定画面の第２の例を示す図である。
【図８】は、表示部に表示される設定画面の第３の例を示す図である。
【図９】は、表示部に表示される設定画面の第４の例を示す図である。
【発明を実施するための形態】
【００３０】
以下に本発明のコンテンツ提供装置について図面を参照して説明する。但し、以下に示す実施形態は、本発明の技術的思想を具体化するために本発明のコンテンツ提供装置の一例を示すものであって、本発明をこのコンテンツ提供装置に特定することを意図するものではなく、特許請求の範囲に含まれるその他の実施形態の装置にも等しく適応し得るものである。
【００３１】
以下の説明において、各装置はＤＬＮＡ対応装置であって、ＤＬＮＡに準拠したネットワーク（ローカルエリアネットワーク）を介して接続されているものとし、上述したようにコンテンツ提供装置としてＤＭＳ、コンテンツ再生装置としてＤＭＰを例に説明する。なお、コンテンツ再生装置としてはＤＭＰに限られず、ＤＬＮＡガイドラインにおいて定義される他のコンテンツ再生機能を備える装置、例えばデジタルメディアレンダラー（ＤＭＲ）であってもよい。
【００３２】
ＤＭＰはＤＭＳから送信されるＵＲＬの中から、再生できる形式のＵＲＬを自ら選択してコンテンツを取得し、コンテンツを再生するものである。一方、ＤＭＲは自らコンテンツ一覧を参照せず、他の装置から指定されたコンテンツの再生機能のみを備える装置である。ＤＭＲに対してコンテンツの指定、再生、停止等の操作を行う装置をデジタルメディアコントローラ（ＤＭＣ）といい、ＤＭＲはＤＭＣから通知されるＵＲＬ先のコンテンツを取得し、再生を行う。また、各装置は、これらの１または２以上の機能を備えることができる。例えば、一つの装置がＤＭＳとＤＭＣを兼ねたり、ＤＭＳとＤＭＰを兼ねたり、ＤＭＳとＤＭＲを兼ねたりすることができる。
【００３３】
コンテンツ提供装置（ＤＭＳ）としては、ＨＤＤレコーダー、ＤＶＤレコーダー、ＬＡＮハード、パーソナルコンピュータ、ゲーム機が例示され、コンテンツ提供装置（ＤＭＰ、ＤＭＲ）としてはＤＶＤプレーヤー、ＣＤプレーヤー、液晶ディスプレイ、テレビ受像機、スピーカー、デジタルカメラ、プリンタが例示される。
【００３４】
図１は本発明のコンテンツ提供装置２０の構成を示すブロック図である。コンテンツ提供装置２０は制御部１と、表示部２と、操作部３と、通信部４と、記憶部５と、アクセス制限設定部６と、認証部７とを備えている。
【００３５】
制御部１は、コンテンツ提供装置２０全体を総括的に制御する制御手段である。制御部１はＣＰＵとＲＯＭとＲＡＭ（いずれも不図示）とを含んでいる。ＲＯＭには制御部１が実行するプログラム、プログラムの実行に必要なパラメータやデータが記憶されている。ＣＰＵはＲＯＭに記憶されている各種プログラムを実行する。ＲＡＭは各種処理の過程で得られるデータや各種処理の結果得られるデータを一時的に格納する。これらＣＰＵ、ＲＡＭ、ＲＯＭ等は、バスを介して接続されている。なお、ＣＰＵ、ＲＯＭ及びＲＡＭはこれらの一部または全部を１チップに集積化しても構わない。
【００３６】
表示部２は、ＬＣＤ（Ｌｉｑｕｉｄ Ｃｒｙｓｔａｌ Ｄｉｓｐｌａｙ）などからなり、コンテンツ（動画、音声、静止画等）、他の装置によるコンテンツ提供装置へのアクセスを許可或いは拒否するための設定画面、メニュー画面などを表示するための表示手段である。
【００３７】
操作部３は、ユーザが設定画面を操作したり、メニューを操作したりするための入力操作手段である。なお、操作部３としては、コンテンツ提供装置２０本体に各種のキーやボタンを設けてもよいし、表示部２にタッチパネル機能を付加してもよい。また、操作部３として、コンテンツ提供装置２０にマウスやキーボード等を接続して操作部３として用いてもよいし、コンテンツ提供装置２０本体を遠隔操作するためのリモートコントローラを操作部３として用いても構わない。
【００３８】
通信部４はネットワーク接続されている他の装置と通信を行う通信手段であり、アクセス要求受信部４１と、コンテンツ送信部４２とを備える。アクセス要求受信部４１は、他の装置によるコンテンツ提供装置２０へのアクセス要求を受信する。コンテンツ送信部２６は、制御部１の指示に従ってコンテンツ提供装置２０へのアクセスが許可されている他の装置のリクエストに応じてコンテンツを送信する（提供する）。
【００３９】
記憶部５は、各種プログラムやデータベースを構成するデータベースファイルを含む各種ファイルを記憶する記憶手段であり、コンテンツ情報記憶部５１と、機器管理情報記憶部５２とを備える。コンテンツ情報記憶部５１は、各種コンテンツを記憶している。機器管理情報記憶部５２は、コンテンツ提供装置２０と通信可能な（アクセス要求受信部４１にアクセス要求を送信した）他の装置毎に、少なくとも識別情報とアクセス履歴情報とアクセス制限情報（他の装置に対するアクセス制限状態（アクセス許可又はアクセス拒否）を示す情報）とを対応付けて記憶している。
【００４０】
アクセス制限設定部６は、機器管理情報記憶部５２に記憶されている内容を参照して、他の装置によるコンテンツ提供装置２０へのアクセス制限情報の設定を変更する（アクセスを許可或いは拒否する）ための設定画面を表示部２に表示するアクセス制限設定手段である。設定画面には、他の装置によるコンテンツ提供装置２０へのアクセス制限情報の設定を変更する（アクセスを許可或いは拒否する）ためのアクセス制限設定項目と、当該他の装置の識別情報を表示する項目と、当該他の装置のアクセス履歴情報を表示する項目とが体系付けられて表示されている。また、アクセス制限設定項目には、機器管理情報記憶部５２を参照して現在のアクセス制限状態（アクセス許可設定状態であるか、アクセス拒否設定状態であるか）が表示されている（図５〜図９を参照）。
【００４１】
認証部７は、ユーザが、アクセス制限設定部６によって表示部２に表示された設定画面を介してアクセス制限状態の設定（アクセス許可或いは拒否の設定）を変更する権限があるか否かを認証する認証手段である。認証部７が認証を行うタイミングは、認証部７による認証が成立しなければアクセス制限状態の設定を変更できないタイミングであれば特に限定されない。例えば、設定画面を表示する際に認証を行うこととしてもよいし、アクセス制限状態の設定の変更を適用（保存、更新）する際に認証を行うこととしてもよい。
【００４２】
認証方法は特に制限されないが、例えば、パスワード入力を要求する認証画面を表示部２に表示し、入力されたパスワードが予め設定されているパスワードと一致するか否かに基づいて認証を行う。
【００４３】
[アクセス履歴記憶処理]
図２は、本発明のコンテンツ提供装置の制御部１実行する処理の流れを示す第１のフローチャートである。図２のフローチャートはコンテンツ提供装置２０にアクセス要求を送信した他の装置のアクセス履歴を記憶する処理の流れを示している。
【００４４】
ステップＳ０１において制御部１は、アクセス要求受信部４１がアクセス要求を受信したか否かを判定する。アクセス要求があれば（ステップＳ０１のＹ）ステップＳ０２に進み、アクセス要求がなければ（ステップＳ０１のＮ）ステップＳ０１に戻る。
【００４５】
ステップＳ０２において制御部１は、機器管理情報記憶部５２に、コンテンツ提供装置２０（コンテンツ提供装置２０のアクセス要求受信部４１）にアクセス要求を送信した（行った）他の装置の識別情報と当該他の装置のアクセス履歴情報と当該他の装置のアクセス制限情報とを対応付けて記憶させる。
【００４６】
他の装置の識別情報とは、当該他の装置に割り当てられた固有の識別子であり、具体的にはＭＡＣアドレスを所定のハッシュ関数でハッシュ化して生成されるものである。なお、識別情報としてＩＰアドレスを使用してもよい。
【００４７】
アクセス履歴情報とはアクセスの履歴を示す情報であり、具体的にはアクセス日時を示す情報やアクセス回数を示す情報が挙げられる。アクセス履歴情報がアクセス日時を示す情報であるときは、機器管理情報記憶部５２は、他の装置の識別情報にアクセス要求を送信した日時を対応付けて記憶する。その際、アクセス要求が行われる度に他の装置の識別情報に対応付けて記憶することとしてもよいし、同一の識別情報について既にアクセス日時が対応付けられて記憶されているときはアクセス日時を最新のアクセス日時に更新すること（他の装置の識別情報と当該他の装置の最終アクセス日時とを対応付けて記憶すること）としてもよい。
【００４８】
アクセス履歴情報がアクセス回数を示す情報であるときは、機器管理情報記憶部５２は、他の装置の識別情報にアクセス要求を送信した回数（累積回数）を対応付けて記憶する。なお、アクセス回数は一定期間毎にリセットすることとしてもよい。これにより、各他の装置のその時期における使用頻度を反映したアクセス回数を記憶させることができる。すなわち、過去に多く使用していたが、現在ほとんど使用していない他の装置についてアクセス回数が多くものとして表示されるのを防ぐことができ、他の装置の特定が容易となる。
【００４９】
アクセス制限情報とは、他の装置がコンテンツ提供装置２０にアクセスすることができるか否か（アクセス許可されているか、アクセス拒否されているか）を示す情報である。上述したように、ネットワークに新たに接続された他の装置は初期設定においてコンテンツ提供装置２０へのアクセスが拒否されており、コンテンツ提供装置２０がアクセス拒否を変更する（アクセス許可にする）ことによってコンテンツ提供装置２０にアクセスすることができ、また、コンテンツの提供を受けることができる。
【００５０】
[アクセス制限設定処理]
図３は、本発明のコンテンツ提供装置の制御部１実行する処理の流れを示す第２のフローチャートである。図３のフローチャートはコンテンツ提供装置２０においてアクセス制限を設定する際の流れを示している。
【００５１】
ステップＳ１１において制御部１は、他の装置によるコンテンツ提供装置２０へのアクセスを許可或いは拒否するための設定画面を表示する指示がなされているか否かを判定する。設定画面を表示する指示がなされていれば（ステップＳ１１のＹ）ステップＳ１２に進み、設定画面を表示する指示がなされていなければ（ステップＳ１１のＮ）ステップＳ１１に戻る。
【００５２】
ステップＳ１２において制御部１は、表示部２に設定画面を表示するようアクセス制限設定部６に指示を行う。ステップＳ１２において表示される設定画面は例えば図５に示すように、他の装置によるコンテンツ提供装置２０へのアクセスを許可或いは拒否するためのアクセス制限設定項目と、他の装置の識別情報（ＭＡＣアドレス）を表示する項目と、他の装置のアクセス履歴情報（アクセス日時を示す情報）を表示する項目と、機器情報を表示する項目とを有する。
【００５３】
このように設定画面にアクセス履歴情報が表示されることにより、他の装置を特定することが容易となる。例えば、他の装置にアクセス要求を行わせることで、最も新しいアクセス要求日時に対応付けられた識別情報が、当該他の装置の識別情報であると特定することができる。
【００５４】
アクセス制限設定項目は、例えば、図５に示すようにチェックボックスになっており、当該チェックボックスにチェックが入っていればアクセス許可設定状態であり、一方、当該チェックボックスにチェックが入っていなければアクセス拒否設定状態である。また、一のチェックボックスを選択した状態（カーソルを合わせている状態）で、設定画面下部のアクセス設定状態を変更するボタン（アイコン）を選択し、決定するとアクセス設定状態を変更することができる。（図５においては現在のアクセス制限状態が「許可」であるチェックボックスを選択しているため、設定画面下部において「拒否」アイコンが表示されている）。
【００５５】
アクセス制限情報及びアクセス履歴情報は他の装置の識別情報に対応付けられて機器管理情報記憶部５２に記憶されており、アクセス制限設定部６は機器管理情報記憶部５２を参照して、各項目を体系付けて表示する。なお、機器情報を示す項目は、他の装置がＤＭＳやＤＭＲであるときに表示されるサーバの配置位置情報やサーバ名の情報などであるが、他の装置がＤＭＰの場合にはこのような機器情報を有しておらず、当該項目は空欄になる。
【００５６】
ネットワークに接続されている他の装置が多数存在し、１つのアクセス設定画面内に表示できない場合には、図５が示すように「次ページ」ボタン（アイコン）を選択し、決定することによって図６に示すように残りの他の装置が表示される。また、図６において「前ページ」ボタン（アイコン）を選択し、決定することによって図５の設定画面に戻る。
【００５７】
また、アクセス制限設定部６は表示部２に設定画面を表示する際にアクセス履歴情報に基づいてソートを行うこととしてもよい。例えば、図５及び図６が示すようにアクセス日時が新しい（直近）のものから順に表示することとしてもよいし、アクセス回数が多い順に表示することとしてもよい。また、表示順を切り替える機能を備え、アクセス日時が古い順やアクセス回数が少ない順に並べ替えることができるものであってもよい。
【００５８】
ステップＳ１３において制御部１は、設定画面の表示終了の指示がなされたか否かを判定する。設定画面の表示終了の指示がなされていれば（ステップＳ１３のＹ）ステップＳ１４に進み、設定画面の表示終了の指示がなされていなければ（ステップＳ１３のＮ）ステップＳ１３に戻る。
【００５９】
ステップＳ１４において制御部１は、アクセス制限状態の設定が変更されたか否かを判定する。アクセス制限状態の設定が変更されていれば（ステップＳ１４のＹ）ステップＳ１５に進み、アクセス制限状態の設定が変更されていなければ設定画面を終了させ、処理を終了する。
【００６０】
ステップＳ１５において制御部１は、機器管理情報記憶部５２に、他の装置の識別情報と当該他の装置のアクセス履歴情報と当該他の装置の変更後のアクセス制限情報とを対応付けて記憶させる。なお、記憶させる際に、アクセス制限情報を最新のもの（変更後のもの）に更新するか否かについて確認する確認メッセージ等を表示し、更新が選択された場合にのみ記憶させることとしてもよい。
【００６１】
また、制御部１は、アクセス制限情報を最新のもの（変更後のもの）に更新する際に、認証部７を介してアクセス制限状態の設定を変更しようとしているユーザに認証パスワード等の入力を要求することによりアクセス制限状態の設定を変更する権限をあるか否かを認証することとしてもよい。これによりセキュリティの向上を図ることができる。認証部７による認証のタイミングは上述したように認証部７による認証が成立しなければアクセス制限状態の設定を変更できないタイミングであれば特に限定されない。
【００６２】
図４は、本発明のコンテンツ提供装置の制御部１実行する処理の流れを示す第３のフローチャートである。図４のフローチャートはコンテンツ提供装置２０においてアクセス制限を設定する際の流れの別の例を示している。なお、ステップＳ２１は上述したステップＳ１１と同様であり、ステップＳ２５〜ステップＳ２７は上述したステップＳ１３〜ステップＳ１５と同様であるため説明を省略する。
【００６３】
図３のフローチャートにおいては一つの設定画面に四つの項目（他の装置によるコンテンツ提供装置２０へのアクセスを許可或いは拒否するためのアクセス制限設定項目、他の装置の識別情報（ＭＡＣアドレス）を表示する項目、他の装置のアクセス履歴情報（アクセス日時を示す情報）を表示する項目、機器情報を表示する項目）を表示することとしたが、このようにすると設定画面のサイズが横長になってしまうことが避けられない。そこで図４のフローチャートでは設定画面を二つ設けることで、一つの設定画面に表示される項目を最大で３項目とし、設定画面が横長になるのを防ぐこととしている。
【００６４】
ステップＳ２２において制御部１は、表示部２に第１設定画面を表示するようアクセス制限設定部６に指示を行う。第１設定画面は図７に示すような従来のコンテンツ提供装置で表示されていた設定画面であり、第１設定画面は、他の装置によるコンテンツ提供装置２０へのアクセスを許可或いは拒否するためのアクセス制限設定項目と、他の装置のアクセス履歴情報（アクセス日時を示す情報）を表示する項目と、機器情報を表示する項目とを有する。
【００６５】
ステップＳ２３において制御部１は設定画面切換指示がなされたか否かを判定する。すなわち、アクセス制限状態の設定の変更は第１設定画面でも可能であるが、ステップＳ２２で表示した第１設定画面は従来から表示されていた設定画面であり、この設定画面では他の装置を特定することが困難である。そこで、図７に示すように設定画面下部の履歴情報ボタン（アイコン）を選択し、決定することで第２設定画面に切り換えることができることとしている。設定画面切換指示がなされていれば（ステップＳ２３のＹ）ステップＳ２４に進み、設定画面切換指示がなされていなければ（ステップＳ２３のＮ）ステップＳ２５に進む。
【００６６】
ステップＳ２４において制御部１は、表示部２に第２設定画面を表示するようアクセス制限設定部６に指示を行う。第２設定画面は図８に示すような設定画面であり、第２設定画面は、他の装置によるコンテンツ提供装置２０へのアクセスを許可或いは拒否するためのアクセス制限設定項目と、他の装置のアクセス履歴情報（アクセス日時を示す情報）を表示する項目と、他の装置のアクセス履歴情報（アクセス日時を示す情報）を表示する項目とを有する。
【００６７】
第２設定画面が表示されることにより上述したようにアクセス履歴情報を参照して他の装置を特定することが容易となる。
【００６８】
なお、図４のフローチャートにおいて第１設定画面を表示した後（ステップＳ２３のＮ）及び第２設定画面を表示した後（ステップＳ２４）にステップＳ２５に進むこととしているが、設定画面の切換は第１設定画面又は第２設定画面が表示されている状態において、要求に応じてその都度行うことが可能であり、設定画面の終了指示までは何度でも切り換えることが可能である。
【００６９】
また、ステップＳ２６〜ステップＳ２７におけるアクセス制限状態の設定の変更があったときに、機器管理情報記憶部５２に、他の装置の識別情報と当該他の装置のアクセス履歴情報と当該他の装置の変更後のアクセス制限情報とを対応付けて記憶させる処理は、設定画面が切り換わる際にも行うこととしてもよい。すなわち、第２設定画面でアクセス制限状態の設定を変更した後に、第１設定画面に切り換える際に、アクセス制限情報を更新し、第１設定画面においてはアクセス制限状態の設定変更後のアクセス制限情報を表示することとしてもよい。
【００７０】
[その他]
上述した各設定画面は、他の装置によるコンテンツ提供装置２０へのアクセスを許可或いは拒否するためのアクセス制限設定項目、他の装置の識別情報（ＭＡＣアドレス）を表示する項目、他の装置のアクセス履歴情報（アクセス日時を示す情報）を表示する項目、機器情報を表示する項目、の全部又は一部を有することとしたが、さらに、他の装置に任意の名称を設定及び表示するための名称設定表示項目を有することとしてもよい。
【００７１】
例えば図５に示す設定画面を第１の設定画面とし、設定画面を切り換えることによって図９に示すような第２の設定画面を表示することとする。名称設定表示項目に任意の名称（例えば他の装置の設置場所として「リビング」など）を入力し、機器管理情報記憶部５２に記憶させることで、他の装置をより容易に特定しやすくすることができる。
【００７２】
つまり、機器管理情報記憶部５２には、コンテンツ提供装置２０と通信可能な（アクセス要求受信部４１にアクセス要求を送信した）他の装置毎に、識別情報とアクセス履歴情報とアクセス制限情報（他の装置に対するアクセス制限状態（アクセス許可又はアクセス拒否）を示す情報）と名称設定表示項目を介して設定された任意の名称を示す情報とを対応付けて記憶している。
【００７３】
なお、機器管理情報記憶部５２において任意の名称を示す情報が他の装置の識別情報に対応付けられているときには、例えば、各設定画面において識別情報の代わりに任意の名称を表示することで設定画面が横長になるのを防ぐこととしてもよい。
【産業上の利用可能性】
【００７４】
本発明は、ネットワークを介して接続されている他の装置からの要求に応じてコンテンツを提供するコンテンツ提供装置に利用できる。
【符号の説明】
【００７５】
１  制御部
２  表示部
３  操作部
４  通信部
４１  アクセス要求通信部
４２  コンテンツ送信部
５  記憶部
５１  コンテンツ情報記憶部
５２  機器管理情報記憶部
６  アクセス制限設定部
７  認証部
【図１】
2012249240.tif 000003
【図２】
2012249240.tif 000004
【図３】
2012249240.tif 000005
【図４】
2012249240.tif 000006
【図５】
2012249240.tif 000007
【図６】
2012249240.tif 000008
【図７】
2012249240.tif 000009
【図８】
2012249240.tif 000010
【図９】
2012249240.tif 000011